(57)【特許請求の範囲】
【請求項１】
信号線を介して接続された複数の端末機器を監視制御する複数の主中継器と、該複数の主中継器と伝送線を介して接続され、該複数の主中継器との間で、防災情報の送受信が行われる分散火災受信機と、を備えた分散型火災報知システムにおいて、
前記複数の主中継器は、当該主中継器の設定データである前記複数の主中継器及び分散火災受信機に共通である共通設定データと、自ノード番号と当該主中継器に接続された複数の端末機器に関する端末データおよび端末連動テーブル等の当該主中継器に個別の個別設定データと、を記憶する主中継器メモリと、前記伝送線を介して当該主中継器の更新用設定データを受信する主中継器ＬＡＮインターフェースと、更新用設定データ信号に自己のノード番号が付与されている場合に前記主中継器メモリに記憶された当該主中継器の設定データを書替更新する主中継器制御部と、前記伝送線を介して前記防災情報を送出するときに、当該防災情報に関連する個別設定データを付与して送出する個別設定データ送出手段と、を備え、
前記分散火災受信機は、当該分散火災受信機の設定データである前記共通設定データと、自ノード番号を含む当該分散火災受信機に個別の個別設定データと、を記憶する受信機メモリと、前記伝送線を介して当該分散火災受信機の更新用設定データ信号を受信する受信機ＬＡＮインターフェースと、更新用の設定データ信号に自己のノード番号が付与されている場合に前記受信機メモリに記憶された当該分散火災受信機の設定データを書替更新する受信機制御部と、前記伝送線を介して前記主中継器から送出された防災情報及び個別設定データを受信して、表示手段に表示する個別設定データ取得表示手段と、を備え、
前記受信機ＬＡＮインターフェース又は主中継器ＬＡＮインターフェースは、前記分散受信機又は主中継器の更新用設定データを記憶する設定データ登録器が接続されて、前記設定データ登録器は、前記更新用設定データ信号にノード番号を付与して前記伝送線に送出する
ことを特徴とする分散型火災報知システム。
【発明の詳細な説明】
【技術分野】
【０００１】
本発明は、分散型火災報知システムに関し、特に、設定データ登録器により、伝送線を介して、主中継器又は分散火災受信機の設定データを簡便に書き換え可能としたものである。
【背景技術】
【０００２】
信号線を介して接続された複数の端末機器を監視制御する複数の主中継器と、該複数の主中継器と伝送線を介して接続され、該複数の主中継器との間で、防災情報の送受信が行われる分散火災受信機と、を備えた分散型火災報知システムが知られている（例えば、特許文献１参照）。
【０００３】
ホスト機器としての複数の主中継器及び分散火災受信機は、巨大な１つの建物や複数の建物などの広域の火災監視を行うために、各所に分散配置される。
【０００４】
複数の主中継器は、ホスト機器のノード番号とノード種別を対応して記憶するネットワークデータ、システムに共通のシステムデータなど、各ホスト機器に共通である共通設定データと、当該主中継器に接続された複数の端末機器に関する端末データ、端末連動テーブル等の当該主中継器に個別の個別設定データとを、主中継器メモリに記憶し、また、分散火災受信機は、前記共通設定データと、全ての主中継器の個別設定データとを、受信機メモリに記憶していた。
【０００５】
このように、分散火災受信機が、複数の主中継器の個別設定データを受信機メモリに記憶しているので、主中継器が伝送線を介して火災情報などの防災情報を、端末アドレスを付与して送出したときに、分散火災受信機は、当該主中継器から送出された防災情報及び端末アドレスを受信し、端末アドレスに該当する端末データ（例えば、設定場所などのオプションメッセージ）を受信機メモリから読み出して、防災情報及び端末アドレスと共に、表示手段に表示できるので、管理人は、システム全体の状況を詳細に確認することができる。
【０００６】
主中継器及び分散火災受信機の主中継器メモリ、受信機メモリには、読み書き自在でかつ不揮発性の記憶媒体である例えばメモリカードが用いられる。
【特許文献１】特開平５−２１７０８８号公報
【発明の開示】
【発明が解決しようとする課題】
【０００７】
従来の分散型火災報知システムにおいて、各種設定データの変更を行う場合、設定データ登録器を用いて、更新用の設定データを作成して設定データ記憶部に記憶し、付属のメモリカードに書き込み直し、このメモリカードを、設定データが更新される主中継器又は分散火災受信機のメモリカードと交換するようにしていた。
【０００８】
そのため、従来では、設定データを更新するには、更新する設定データが用いられている各ホスト機器の設置現場まで赴き、個別にメモリカードを交換する必要があり、更新作業が煩雑であった。
【０００９】
本発明は、主中継器又は分散火災受信機の設定データの更新作業を簡便に行えることを目的とする。
【課題を解決するための手段】
【００１０】
本発明は、信号線を介して接続された複数の端末機器を監視制御する複数の主中継器と、該複数の主中継器と伝送線を介して接続され、該複数の主中継器との間で、防災情報の送受信が行われる分散火災受信機と、を備えた分散型火災報知システムにおいて、前記複数の主中継器は、当該主中継器の設定データである前記複数の主中継器及び分散火災受信機に共通である共通設定データと、自ノード番号と当該主中継器に接続された複数の端末機器に関する端末データおよび端末連動テーブル等の当該主中継器に個別の個別設定データと、を記憶する主中継器メモリと、前記伝送線を介して当該主中継器の更新用設定データを受信する主中継器ＬＡＮインターフェースと、更新用設定データ信号に自己のノード番号が付与されている場合に前記主中継器メモリに記憶された当該主中継器の設定データを書替更新する主中継器制御部と、前記伝送線を介して前記防災情報を送出するときに、当該防災情報に関連する個別設定データを付与して送出する個別設定データ送出手段と、を備え、前記分散火災受信機は、当該分散火災受信機の設定データである前記共通設定データと、自ノード番号を含む当該分散火災受信機に個別の個別設定データと、を記憶する受信機メモリと、前記伝送線を介して当該分散火災受信機の更新用設定データ信号を受信する受信機ＬＡＮインターフェースと、更新用の設定データ信号に自己のノード番号が付与されている場合に前記受信機メモリに記憶された当該分散火災受信機の設定データを書替更新する受信機制御部と、前記伝送線を介して前記主中継器から送出された防災情報及び個別設定データを受信して、表示手段に表示する個別設定データ取得表示手段と、を備え、前記受信機ＬＡＮインターフェース又は主中継器ＬＡＮインターフェースは、前記分散受信機又は主中継器の更新用設定データを記憶する設定データ登録器が接続されて、前記設定データ登録器は、前記更新用設定データ信号にノード番号を付与して前記伝送線に送出することを特徴とする。
【発明の効果】
【００１３】
この発明は、受信機又は主中継器ＬＡＮインターフェースは、設定データ登録器が接続されて、主中継器又は分散火災受信機の更新用設定データを伝送線に送出する。そして、各ホスト機器である分散火災受信機又は主中継器は、ＬＡＮを介して自己の更新用設定データを受信して、設定データを書き換えることができる。そのため、設定データを更新する際に、更新したい設定データが用いられている各ホスト機器の設置現場まで赴き、更新作業を行う必要がなくなり、更新作業が簡便である。
【００１４】
また、前記分散火災受信機及び複数の主中継器の全てに、前記設定データ登録器を接続する接続口を備えたので、いずれかのホスト機器の接続口に設定データ登録器を接続して任意のホスト機器の設定データの更新作業を行うことができる。
【００１５】
また、前記複数の主中継器は、前記複数の主中継器及び分散火災受信機に共通である共通設定データと、当該主中継器に接続された複数の端末機器に関する端末データ、端末連動テーブル等の当該主中継器に個別の個別設定データとを、前記主中継器メモリに記憶し、また、前記分散火災受信機は、前記共通設定データを、前記受信機メモリに記憶して、全ての主中継器の個別設定データを記憶しない構成とした。このとき、複数の主中継器が、前記伝送線を介して前記防災情報を送出するときに、当該防災情報に関連する個別設定データを付与して送出し、また、分散火災受信機は、前記伝送線を介して前記主中継器から送出された防災情報及び個別設定データを受信することによって、従来のように、分散火災受信機が、全ての主中継器の個別設定データを受信機メモリに記憶しない構成であっても、従来と同様に、防災情報と共に個別設定データを表示手段に表示できる構成となっている。そして、従来よりも受信機メモリのメモリ量を低減できる。また、このような個別設定データの配置構成としたので、ある主中継器の設定データを更新する際に、従来の個別設定データの配置構成では、当該主中継器及び分散火災受信機が伝送線を介して転送された個別設定データを書替更新する必要があったが、当該主中継器のみが書替更新するだけでよくなり、各主中継器の個別設定データを更新する度に、分散火災受信機も該当する個別設定データを更新する必要がなくなる。これにより、例えば、伝送線を介しての個別設定データの転送時間が短くなり、伝送線上の他の防災情報と衝突するなどの悪影響を低減することができる。
【発明を実施するための最良の形態】
【００１６】
発明を実施するための最良の形態は、以下の実施例である。
【実施例１】
【００１７】
図１は本発明の実施例１である分散型火災報知システムのシステム系統図、図２は分散火災受信機の構成を示すブロック図、図３は分散火災受信機のＬＡＮインターフェースの構成を詳細に示す図、図４は主中継器の構成を示すブロック図、図５は主中継器のＬＡＮインターフェースの構成を詳細に示す図、図６は分散火災受信機の記憶部の構成を示す図、図７は主中継器の記憶部の構成を示す図、図８はデータベース作成装置の構成を示すブロック図である。
【００１８】
図１に示すように、分散型火災報知システムは、ホスト機器としての分散型火災受信機ＲＥ（以下、火災受信機ＲＥという）及び複数の主中継器ＬＭが個別のノード番号＃１〜＃５を付与されて、伝送線（以下、ＬＡＮという）を介して接続されている。火災受信機ＲＥ及び複数の主中継器ＬＭには、信号線Ｌを介して、個別の端末アドレスＡＤが付与された端末機器が接続されている。端末機器は、火災感知器Ｓ、被制御機器（地区音響装置としての地区ベルＢ、防火戸などの防排煙機器ＥＲ）、などによって構成される。
【００１９】
火災受信機ＲＥ及び各主中継器ＬＭは、信号線Ｌを介して、それぞれに接続された端末機器を監視制御し、また、火災受信機ＲＥと複数の主中継器ＬＭとの間で、ＬＡＮを介して、端末機器などから収集した防災情報の送受信が行われて、これにより、ホスト機器間で防災情報が共有できるようになっている。
【００２０】
なお、図１に示す例では、ある1棟の建物内において、火災受信機ＲＥを１階、＃２の主中継器ＬＭを２階、＃３の主中継器ＬＭを３階、＃４の主中継器ＬＭを４階、＃５の主中継器ＬＭを５階に分散配置して、それぞれの階の監視区域を監視制御することにより、巨大な１つの建物の火災監視を行うものとして説明するが、それぞれのホスト機器を複数の棟に分散配置して、複数の建物などの広域の火災監視を行うようにすることもできる。
【００２１】
図２は分散火災受信機ＲＥの構成を示すブロック図である。図において、１０は信号線Ｌを介して火災感知器Ｓや被制御機器などの端末機器が複数接続される端末インターフェース、１１は他のホスト機器と接続するためのＬＡＮインターフェース、１２は表示手段の一例である表示部、１３は操作部、１４は受信機メモリの一例であり、各種設定データなどを記憶する記憶部、１５は個別設定データ取得表示手段の一例であり、火災受信機全体を制御する制御部、１８は接続口の一例であり、後述するデータベース作成装置６０のコネクタ６５が接続されるポート１８（図３の空きポート１８Ｃ、１８Ｄ）である。
【００２２】
図３はＬＡＮインターフェース１１の構成を詳細に示す図である。ＬＡＮインターフェース１１は、火災信号等の防災情報の信号の送受信に関する伝送制御を行う伝送制御部３５と、制御部１５と伝送制御部３５とを接続するインターフェースである送受信部３６と、いずれか１つのポートへの入力に基づき、他の各ポートへ出力を行い、出力後は所定時間入力を遮断するアクティブＨＵＢとしての先着判定再送回路部３７と、接続されるべきＬＡＮ等と伝送線先着判定再送回路部３７との間で信号のやりとりを行う４つの送受信ポート１８Ａ〜１８Ｄとで構成されている。このＬＡＮインターフェース１１は信号線Ｌを介して制御部１５と接続されている。
【００２３】
その先着判定再送回路部３７は、伝送制御部３５および各送受信ポート１８Ａ〜１８Ｄのいずれかからの防災情報等の信号着信があると、その信号をその他の伝送制御部３５及び送受信ポート１８Ａ〜１８Ｄに出力するとともに、送信した各送受信ポート１８Ａ〜１８Ｄからの信号着信を所定時間禁止する。
【００２４】
各送受信ポート１８Ａ〜１８Ｄは、それぞれＬＡＮ等と接続される入出力ポートａと先着判定再送回路部３７と接続される入力ポートｂ及び出力ポートｃを有している。それら４つの送受信ポート１８Ａ〜１８Ｄの入出力ポートａ、入力ポートｂ及び出力ポートｃは通常、防災情報等の信号が入出力されるように開いている。
【００２５】
ここで、送受信ポート１８Ａ、１８ＢにはＬＡＮが接続されているが、その他の送受信ポート１８Ｃ、１８ＤはＬＡＮ増設用の空きポートとなっている。そして、この空きポート１８Ｃ、１８Ｄをデータベース作成装置６０の接続用として利用している。
【００２６】
図４は主中継器ＬＭの構成を示すブロック図であり、一例として、＃５の主中継器ＬＭを例に挙げて説明するが、その他の主中継器ＬＭも同様な構成である。図において、２０は信号線Ｌを介して火災感知器Ｓや被制御機器などの端末機器が複数接続される端末インターフェース、２１は他のホスト機器と接続するためのＬＡＮインターフェース、２４は主中継器メモリの一例であり、各種設定データなどを記憶する記憶部、２５は個別設定データ送出手段の一例であり、主中継器全体を制御する制御部、２８は接続口の一例であり、後述するデータベース作成装置６０のコネクタ６５が接続されるポート２８（図５の空きポート２８Ｃ、２８Ｄ）である。
【００２７】
図５はＬＡＮインターフェース２１の構成を詳細に示す図であり、一例として、＃５の主中継器ＬＭを例に挙げて説明するが、その他の主中継器ＬＭも同様な構成である。ＬＡＮインターフェース２１は、伝送制御部４５と、送受信部４６と、先着判定再送回路部４７と、４つの送受信ポート２８Ａ〜２８Ｄとで構成されているが、それぞれ対応するＬＡＮインターフェース１１の構成と同じ機能であるので、説明を省略する。
【００２８】
なお、送受信ポート２８Ａ、２８ＢにはＬＡＮが接続されているが、その他の送受信ポート２８Ｃ、２８ＤはＬＡＮ増設用の空きポートとなっている。そして、この空きポート２８Ｃ、２８Ｄをデータベース作成装置６０の接続用として利用している。
【００２９】
つぎに、ホスト機器ＬＭ、ＲＥの記憶部１４、２４について詳細に説明する。図６は分散火災受信機ＲＥの記憶部１４の構成を示す図である。火災受信機ＲＥの記憶部１４は、図６（ａ）に示すように、フラッシュメモリなどの不揮発性記憶媒体が用いられる設定データ記憶領域１６とＲＡＭなどの揮発性記憶媒体が用いられる作業領域１７とを有する。
【００３０】
設定データ記憶領域１６には、自ノード番号を格納する自ノード番号記憶領域１６ａ、ＬＡＮに接続されるホスト機器のノード番号及びノード種別を格納するネットワークデータ記憶領域１６ｂ、システム内の各ホスト機器で共通のシステムデータを格納するシステムデータ記憶領域１６ｃ、自機に信号線Ｌを介して接続される端末機器の端末データを格納する端末データ記憶領域１６ｄ、自機に信号線Ｌを介して接続される端末機器の端末連動テーブルを格納する端末連動テーブル記憶領域１６ｅを有する。つまり、設定データ種別としては、自ノード番号、ネットワークデータ、システムデータ、端末データ、端末連動テーブルがあり、ここで、ネットワークデータ及びシステムデータは、複数の主中継器ＬＭ及び分散火災受信機ＲＥに共通である共通設定データの一例であり、また、自ノード番号、端末データ及び端末連動テーブルは、当該分散火災受信機ＲＥに個別の個別設定データの一例である。
【００３１】
つぎに、図６（ｂ）に示すように、システムデータ記憶領域１６ｃには、システムデータとして、例えば、物件名称、地区音響逐次鳴動時間、地区音響拡大警報時間、蓄積時間自動変更機能有無が設定記憶されている。地区音響逐次鳴動時間には、操作部１３の地区ベル停止スイッチ（不図示）のオンによって、火災感知器Ｓが発報のときに鳴動した地区ベルＢが鳴動停止状態になったときから再鳴動するまでの鳴動停止解除時間が設定記憶され、地区音響拡大警報時間には、地区ベルＢの出火階鳴動から全階鳴動へ移行するまでの待ち時間が設定記憶され、蓄積時間自動変更有無には、操作部１３からの入力操作により、火災感知器Ｓが火災検出から発報（火災確定）とするまでの蓄積時間を設定変更可能とするか否か（有無）が設定記憶されている。
【００３２】
端末データ記憶領域１６ｄには、自機に信号線Ｌを介して接続される端末機器の端末アドレスＡＤに対応して、当該端末機器の端末データとして、例えば、煙感知器、熱感知器、地区ベル、防排煙機器などの端末機器の種別（ＩＤ）、火災感知器Ｓの火災検出閾値である感度レベル（ＫＬ）、火災感知器Ｓが火災検出から発報（火災確定）とするまでの蓄積時間、棟階番、端末機器の設置場所名などを設定記憶するオプションメッセージ（ＯＰメッセージ）、などが格納されている。
【００３３】
端末連動テーブル記憶領域１６ｅには、自機に信号線Ｌを介して接続される端末機器の端末連動テーブルとして、連動元の端末機器の端末アドレスＡＤに対応して、連動先の端末機器の端末アドレスＡＤが格納されている。これにより、連動元の端末機器の作動により連動先の端末機器を起動制御することができる。
【００３４】
図７は主中継器ＬＭの記憶部２４の構成を示す図であり、一例として、＃５の主中継器ＬＭを例に挙げて説明するが、その他の主中継器ＬＭも同様な構成である。
【００３５】
＃５の主中継器ＬＭの記憶部２４は、火災受信機ＲＥの記憶部１４の構成と同様であり、図７（ａ）に示すように、フラッシュメモリなどの不揮発性記憶媒体が用いられる設定データ記憶領域２６とＲＡＭなどの揮発性記憶媒体が用いられる作業領域２７とを有する。そして、設定データ記憶領域２６には、自ノード番号を格納する自ノード番号記憶領域２６ａ、ＬＡＮに接続されるホスト機器のノード番号及びノード種別を格納するネットワークデータ記憶領域２６ｂ、システム内の各ホスト機器で共通のシステムデータを格納するシステムデータ記憶領域２６ｃ、自機に信号線Ｌを介して接続される端末機器の端末データを格納する端末データ記憶領域２６ｄ、自機に信号線Ｌを介して接続される端末機器の端末連動テーブルを格納する端末連動テーブル記憶領域２６ｅを有する。
【００３６】
そして、自ノード番号記憶領域２６ａ、端末データ記憶領域２６ｄ、端末連動テーブル記憶領域２６ｅについては、火災受信機ＲＥの対応する記憶領域１６ａ、１６ｄ、１６ｅの内容とは異なり、自機に関する内容になっているが、ネットワークデータ記憶領域２６ｂ、システムデータ記憶領域２６ｃについては、火災受信機ＲＥの対応する記憶領域１６ｂ、１６ｃの内容と同じである。つまり、設定データ種別としては、自ノード番号、ネットワークデータ、システムデータ、端末データ、端末連動テーブルがあり、ここで、ネットワークデータ及びシステムデータは、複数の主中継器ＬＭ及び分散火災受信機ＲＥに共通である共通設定データの一例であり、また、自ノード番号、端末データ及び端末連動テーブルは、当該主中継器ＬＭに個別の個別設定データの一例である。なお、システムデータ、端末データ、端末連動テーブルについては、図７（ｂ）に示すように、記憶される内容は異なるが、火災受信機ＲＥの記憶部１４と同様の構成であるので詳細な説明を省略する。
【００３７】
以上のような構成の分散型火災報知システムでは、例えば、＃５の主中継器ＬＭが自機の端末機器ＡＤ１の状態変化（例えば、火災検知）を検出すると、＃５の主中継器ＬＭは、状態変化した端末機器の状態情報（火災情報）を、自ノード番号＃５、状態変化した端末機器の端末アドレスＡＤを付与して、更に、当該端末データ（種別ＩＤ、感度レベルＫＬ、蓄積時間、棟階番、ＯＰメッセージ）と共にＬＡＮ上に送出し、その状態情報をＬＡＮを介して火災受信機ＲＥが受信すると、火災受信機ＲＥは、その状態情報をノード番号＃、端末アドレスＡＤ、端末データと共に作業領域１７に格納し、さらに表示部１２に表示する。このように、火災受信機ＲＥは、全ての主中継器ＬＭの個別設定データ（例えば、端末データ）を設定データ記憶部１６に記憶しない構成であっても、従来と同様に、防災情報と共に個別設定データを表示部１２に表示できる構成となっており、管理人は、システム内での状態変化を詳細に確認できる。
【００３８】
なお、上記のように端末機器が状態変化した場合以外で、火災受信機ＲＥが能動的に、個別設定データを取得して表示したい場合（例えば、設定データ確認時）には、火災受信機ＲＥは、主中継器ＬＭの設定データ記憶部２６に格納されている個別設定データを当該主中継器ＬＭに要求して取得することもできる。
【００３９】
ところで、以上のような構成の分散型火災報知システムにおいては、図８のデータベース作成装置６０を用いて、火災受信機ＲＥ及び主中継器ＬＭの設定データ記憶部１６、２６に記憶されている設定データを書替更新することができる。
【００４０】
図８はデータベース作成装置の構成を示すブロック図である。図８において、６０は設定データ登録器の一例としてのデータベース作成装置であり、汎用パソコン等によって構成され、メモリカードＭＣ１が着脱自在なスロットＳＬ２と、入力部６１と、表示部６２と、データベース作成装置全体を制御する制御部であり、設定データ転送手段の一例であるデータベース作成部６３と、設定データ記憶部の一例であり、ハードディスク等で構成される記憶部６４と、火災受信機ＲＥ及び主中継器ＬＭのポート１８、２８に着脱される接続口の一例であるコネクタ６５とを有する。
【００４１】
データベース作成装置６０は、前記主中継器ＬＭ又は分散火災受信機ＲＥの更新用設定データを記憶する設定データ記憶部としての記憶部６４と、前記設定データ記憶部６４に記憶された更新用設定データを、前記伝送線を介して、前記主中継器ＬＭ又は分散火災受信機ＲＥに、個別に指定して転送する設定データ転送手段としてのデータベース作成部６３とを有し、前記主中継器ＬＭ又は分散火災受信機ＲＥの設定データを書き換え可能に構成した設定データ登録器の一例である。
【００４２】
つぎに、火災受信機ＲＥ及び主中継器ＬＭの設定データの書替更新作業について説明する。まず、作業員は、メモリカードＭＣ１をスロットＳＬ２に挿入し、入力部６１を介してデータを入力し、入力部６１から入力されたデータに基づいて、データベース作成部６３が更新用の設定データを作成し、メモリカードＭＣ１と記憶部６４とに書き込む。
【００４３】
そして、作業員は、火災受信機ＲＥ及び主中継器ＬＭのいずれかのポート１８、２８（図３の空きポート１８Ｃ、１８Ｂ、図５の空きポート２８Ｃ、２８Ｄ）にコネクタ６５を接続する。例えば、火災受信機ＲＥの空きポート１８Ｃ（の入出力ポートａ）にコネクタ６５を接続する。そして、入力部６１を介して、設定データを更新したいホスト機器のノード番号＃及び更新したい設定データ種別（例えば、端末データなど）を入力し、入力部６１から入力指定されたノード番号＃、設定データ種別の更新用設定データを、データベース作成装置６３が記憶部６４から取り出し、ノード番号＃、設定データ種別を付与して、コネクタ６５を介してＬＡＮインターフェース１１の送受信ポート１８Ｃに転送する。
【００４４】
火災受信機ＲＥ（＃１）において、更新用設定データ信号が送受信ポート１８Ｃの入出力ポートａに入力されると、送受信ポート１８Ｃはその出力ポートｃからその信号を先着判定再送回路部３７に出力する。そうすると、先着判定再送回路部３７は送受信ポート１８Ｃの入力ポートｂを閉じると共に他の送受信ポート１８Ａ〜１８Ｂ及び１８Ｄの出力ポートｃを所定時間閉じるとともに、開いている入力ポートｂから他の送受信ポート１８Ａ〜１８Ｂ及び１８Ｄにその更新用設定データ信号を出力する。他の送受信ポート１８Ａ〜１８Ｂはそれぞれ入力された更新用設定データ信号を入出力ポートａからＬＡＮに出力する。
【００４５】
また、その更新用設定データ信号は、伝送制御部３５、送受信部３６を介して制御部１５に通知される。制御部１５は、自己のノード番号＃が付与されている場合は、受信した設定データ種別の設定データを取り込んで、設定データ記憶部１６に記憶された当該設定データ種別の設定データを書替更新する。
【００４６】
一方、火災受信機とＬＡＮ接続される＃２及び＃５の主中継器は、更新用設定データ信号がＬＡＮインターフェース２１の一つの送受信ポート２８の入出力ポートａに入力されるので、火災受信機ＲＥ（＃１）の動作と同様に、その他の送受信ポート２８の入出力ポートａから更新用設定データ信号をＬＡＮに出力する。また、その更新用設定データ信号は、伝送制御部４５、送受信部４６を介して制御部２５に通知され、制御部２５は、自己のノード番号＃が付与されている場合は、受信した設定データ種別の設定データを取り込んで、設定データ記憶部２６に記憶された当該設定データ種別の設定データを書替更新する。
【００４７】
このように、各ホスト機器が、更新用設定データの信号を内部に取り込むと共に、ＬＡＮ接続されている隣接するホスト機器に向けて送出する動作を行うことによって、各ホスト機器が更新用設定データの信号を受信して、必要に応じて書替更新することができる。
【００４８】
また、データベース作成装置６０は、設定データを更新したいホスト機器のノード番号＃及び更新したい設定データ種別をそれぞれ個別に指定することによって、各ホスト機器ＬＭ、ＲＥを個別に指定して設定データの書替更新を行えるので、各ホスト機器に記憶されている設定データが異なる場合に、決め細やかに更新作業を行える。
【００４９】
ところで、共通設定データ（例えば、システムデータなど）は全てのホスト機器間で共通であるため、共通設定データを更新するときには、作業員によって、複数の主中継器ＬＭ及び分散火災受信機ＲＥの全てのノード番号＃を指定して転送することによって、全てのホスト機器ＬＭ、ＲＥの共通設定データを更新することができるが（全てのノード番号＃の指定を意味する共通ノード番号＃０を指定して転送してもよい）、仮に、更新漏れのノード機器があると、データの整合がとれず、システムの運用上問題となる。
【００５０】
それに対処するには、例えば、火災受信機ＲＥは、定期的に、または共通設定データが更新された際に、各主中継器ＬＭに対して、共通設定データのＳＵＭ値要求信号を送出し、ＳＵＭ値要求信号を受信した各主中継器ＬＭは、共通設定データのＳＵＭ値を算出して送出し、火災受信機ＲＥが受信し、火災受信機ＲＥ１内の共通設定データのＳＵＭ値と一致しているか否かを判断し、一致しない場合は、その旨の異常表示を行うようにして、共通設定データの整合を確認するようにすることもできる。
【００５１】
または、共通設定データが更新された際に、当該ホスト機器ＬＭ、ＲＥが、その他のホスト機器ＬＭ、ＲＥに対して、共通設定データのＳＵＭ値要求信号を送出し、ＳＵＭ値要求信号を受信したその他のホスト機器ＬＭ、ＲＥは、共通設定データのＳＵＭ値を算出して送出し、共通設定データが更新されたホスト機器ＬＭ、ＲＥが受信し、当該ホスト機器ＬＭ、ＲＥ内の共通設定データのＳＵＭ値と一致しているか否かを判断し、一致しない場合は、一致しないその他のホスト機器ＬＭ、ＲＥに対して、自己の共通設定データを送出し、一致しないその他のホスト機器ＬＭ、ＲＥが受信し、共通設定データを書替更新するようにして、共通設定データを自動的に整合させるようにすることもできる。
【００５２】
さらに、ＳＵＭ値が一致しない場合は、分散火災受信機ＲＥのＳＵＭ値と各主中継器ＬＭのＳＵＭ値との間で一致数が一番多いＳＵＭ値を正常なＳＵＭ値とし、それを有する分散火災受信機ＲＥ等のホスト機器が、異常なＳＵＭ値のその他のホスト機器に対して、正常な共通設定データを送信して、書替更新させて、自動的に整合させるようにすることもできる。
【００５３】
なお、これらの共通設定データのＳＵＭ値の確認は、共通設定データの種別毎、つまり、ネットワークデータ、システムデータ毎に個別に確認してもよいし、全体で確認してもよい。
【００５４】
上記実施例によれば、信号線Ｌを介して接続された複数の端末機器を監視制御する複数の主中継器ＬＭと、該複数の主中継器ＬＭと伝送線としてのＬＡＮを介して接続され、該複数の主中継器ＬＭとの間で、防災情報の送受信が行われる分散火災受信機ＲＥと、を備えた分散型火災報知システムにおいて、前記分散火災受信機ＲＥは、当該分散火災受信機ＲＥの設定データを記憶する受信機メモリとしての記憶部１４（設定データ記憶領域１６）と、前記伝送線を介して当該分散火災受信機ＲＥの更新用設定データを受信する受信機ＬＡＮインターフェース１１と、前記受信機メモリ１４に記憶された当該分散火災受信機ＲＥの設定データを書替更新する受信機制御部１５と、を備え、前記複数の主中継器ＬＭは、当該主中継器ＬＭの設定データを記憶する主中継器メモリとしての記憶部２４（設定データ記憶領域２６）と、前記伝送線を介して当該主中継器ＬＭの更新用設定データを受信する主中継器ＬＡＮインターフェース２１と、前記主中継器メモリ２４に記憶された当該主中継器の設定データを書替更新する主中継器制御部２５と、を備え、前記受信機ＬＡＮインターフェース１１又は主中継器ＬＡＮインターフェース２１は、前記分散受信機ＲＥ又は主中継器ＬＭの更新用設定データを記憶する設定データ登録器としてのデータベース作成装置６０が接続されて、前記更新用設定データを前記伝送線に送出するので、ＬＡＮインターフェース１１又は２１に設定データ登録器６０を接続すれば、設定データの更新作業を行うことができ、設定データを更新する際に、更新したい設定データが用いられている各ホスト機器ＬＭ、ＲＥの設置現場まで赴き、更新作業を行う必要がなくなり、更新作業が簡便である。
【００５５】
また、分散火災受信機ＲＥ及び複数の主中継器ＬＭの全てに、設定データ登録器６０を接続する接続口としてのポート１８、２８を備えたので、いずれかのホスト機器ＬＭ、ＲＥの接続口１８、２８に設定データ登録器６０の接続口６５を接続して任意のホスト機器ＬＭ、ＲＥの設定データの更新作業を行うことができる。
【００５６】
また、複数の主中継器ＬＭは、複数の主中継器ＬＭ及び分散火災受信機ＲＥに共通である共通設定データとしてのネットワークデータ又はシステムデータと、当該主中継器ＬＭに接続された複数の端末機器に関する端末データ、端末連動テーブル等の当該主中継器ＬＭに個別の個別設定データとを、主中継器メモリ２４に記憶し、また、伝送線を介して防災情報を送出するときに、当該防災情報に関連する個別設定データを付与して送出する個別設定データ送出手段としての制御部２４を備え、分散火災受信機ＲＥは、前記共通設定データを、受信機メモリ１４に記憶し、また、伝送線を介して主中継器ＬＭから送出された防災情報及び個別設定データを受信して、表示手段としての表示部１２に表示する個別設定データ取得表示手段としての制御部１５を備えたので、従来のように、分散火災受信機ＲＥが、全ての主中継器ＬＭの個別設定データを受信機メモリ１４に記憶しない構成であっても、従来と同様に、防災情報と共に個別設定データを表示部１２に表示できる構成となっている。そして、従来よりも受信機メモリ１４のメモリ量を低減できる。また、このような個別設定データの配置構成としたので、ある主中継器ＬＭの設定データを更新する際に、従来の個別設定データの配置構成では、当該主中継器ＬＭ及び分散火災受信機ＲＥが伝送線を介して転送された個別設定データを書替更新する必要があったが、当該主中継器ＬＭのみが書替更新するだけでよくなり、各主中継器ＬＭの個別設定データを更新する度に、分散火災受信機ＲＥも該当する個別設定データを更新する必要がなくなる。これにより、例えば、伝送線を介しての個別設定データの転送時間が短くなり、伝送線上の他の防災情報と衝突するなどの悪影響を低減することができる。
【図面の簡単な説明】
【００５７】
【図１】本発明の実施例１である分散型火災報知システムのシステム系統図である。
【図２】分散火災受信機の構成を示すブロック図である。
【図３】分散受信機のＬＡＮインターフェースの構成を詳細に示す図である。
【図４】主中継器の構成を示すブロック図である。
【図５】主中継器のＬＡＮインターフェースの構成を詳細に示す図である。
【図６】分散火災受信機の記憶部の構成を示す図である。
【図７】主中継器の記憶部の構成を示す図である。
【図８】データベース作成装置の構成を示すブロック図である。
【符号の説明】
【００５８】
ＲＥ…分散火災受信機、ＬＭ…主中継器、ＬＡＮ…伝送線、Ｌ…信号線、Ｓ…火災感知器、Ｂ…地区ベル（地区音響装置）、ＥＲ…防排煙機器、１０…端末インターフェース、１１…ＬＡＮインターフェース、１２…表示部、１３…操作部、１４…記憶部（受信機メモリ）、１５…制御部（個別設定データ取得表示手段）、１６…設定データ記憶領域（不揮発性記憶媒体）、１６ａ…自ノード番号記憶領域、１６ｂ…ネットワークデータ記憶領域、１６ｃ…システムデータ記憶領域、１６ｄ…端末データ記憶領域、１６ｅ…端末連動テーブル記憶領域、１７…作業領域（揮発性記憶媒体）、１８…ポート（接続口）、２０…端末インターフェース、２１…ＬＡＮインターフェース、２４…記憶部（主中継器メモリ）、２５…制御部（個別設定データ送出手段）、２６…設定データ記憶領域（不揮発性記憶媒体）、２６ａ…自ノード番号記憶領域、２６ｂ…ネットワークデータ記憶領域、２６ｃ…システムデータ記憶領域、２６ｄ…端末データ記憶領域、２６ｅ…端末連動テーブル記憶領域、２７…作業領域（揮発性記憶媒体）、２８…ポート（接続口）、３５…伝送制御部、３６…送受信部、３７…先着判定再送回路部、４５…伝送制御部、４６…送受信部、４７…先着判定再送回路部、６０…データベース作成装置（設定データ登録器）、６１…入力部、６２…表示部、６３…データベース作成部（設定データ転送手段）、６４…記憶部（設定データ記憶部）、６５…コネクタ（接続口）、ＭＣ１…メモリカード。
【図１】
0005164059.tif 000002
【図２】
0005164059.tif 000003
【図３】
0005164059.tif 000004
【図４】
0005164059.tif 000005
【図５】
0005164059.tif 000006
【図６】
0005164059.tif 000007
【図７】
0005164059.tif 000008
【図８】
0005164059.tif 000009